(57)【要約】【課題】本願発明の課題は、従来技術が抱える問題を解消することであり、すなわち専門技術者を必要とすることなく容易に、しかも迅速に建築物を組み立てることができる、箱型パネルセットと、これを用いた建築物の組立方法を提供することである。【解決手段】本願発明の箱型パネルセットは、建築物を組み立てることができるものであり、２以上の箱型パネルを備えるものである。この箱型パネルは、ｎ角形（ｎは３以上の自然数）の上面と、同じくｎ角形の下面、ｎ個の側面で構成され、上面と下面が略平行（平行含む）に配置された形状のものである。箱型パネルの側面を他の箱型パネルの側面に重ね合わせて接合していくことで、目的の建築物を組み立てることができる。【選択図】図１
2018178637.tif 000002
【特許請求の範囲】
【請求項１】
建築物を組み立て得る箱型パネルセットであって、
２以上の箱型パネルを備え、
前記箱型パネルは、ｎ角形（ｎは３以上の自然数）の上面と、ｎ角形の下面と、ｎ個の側面で構成され、該上面と該下面が平行又は略平行に配置された形状であり、
前記箱型パネルの前記側面を、他の前記箱型パネルの前記側面に、重ね合わせて接合することによって前記建築物を組み立て得る、
ことを特徴とする箱型パネルセット。
【請求項２】
前記箱型パネルは、一部の前記側面が前記上面に対して傾斜したテーパ面で形成され、
隣接する前記箱型パネルは、それぞれ同形又は略同形の前記テーパ面を有し、
隣接する前記箱型パネルの前記テーパ面どうしを、重ね合わせて接合することによって前記建築物を組み立て得る、
ことを特徴とする請求項１記載の箱型パネルセット。
【請求項３】
前記箱型パネルは、前記上面、前記下面、及び前記側面によって形成された充填空間に、液体が充填された、
ことを特徴とする請求項１又は請求項２記載の箱型パネルセット。
【請求項４】
接合する際に当接する前記側面のうち、一方の側面には凸部が設けられ、他方の側面には該凸部が嵌合する凹部又は小孔が設けられ、
前記凸部と前記凹部又は前記小孔が嵌合することによって、隣接する前記箱型パネルが接合される、
ことを特徴とする請求項１乃至請求項３のいずれかに記載の箱型パネルセット。
【請求項５】
複数の同形の前記箱型パネルからなり、床部を形成することができる床用箱型パネルセットと、
複数の同形の前記箱型パネルからなり、側壁部を形成することができる側壁用箱型パネルセットと、
複数の同形の前記箱型パネルからなり、屋根部を形成することができる屋根用箱型パネルセットと、を備え、
前記床用箱型パネルセット、前記側壁用箱型パネルセット、及び前記屋根用箱型パネルセットを組み立てることで、建築物が形成され、
前記屋根用箱型パネルセットを構成する前記箱型パネルの全ての前記側面は、前記側面が前記上面に対して傾斜したテーパ面であるとともに、他のいずれかの前記箱型パネルのいずれかの前記側面と同形又は略同形である、
ことを特徴とする請求項１乃至請求項４のいずれかに記載の箱型パネルセット。
【請求項６】
前記側壁用箱型パネルセットを構成する前記箱型パネルのうちいずれかの前記箱型パネルに、開口部が設けられた、
ことを特徴とする請求項５記載の箱型パネルセット。
【請求項７】
複数の箱型パネルを接合することで建築物を組み立てる方法であって、
前記箱型パネルは、ｎ角形（ｎは３以上の自然数）の上面と、ｎ角形の下面と、ｎ個の側面で構成され、該上面と該下面が平行又は略平行に配置された形状であり、
前記箱型パネルの前記側面を、他の前記箱型パネルの前記側面に、重ね合わせて接合することによって前記建築物を組み立てる、
ことを特徴とする建築物組立方法。
【発明の詳細な説明】
【技術分野】
【０００１】
本願発明は、例えば仮設住宅などの建築物に関するものであり、より具体的には、建築物を簡易に組み立てることができる箱型パネルセットとその組立方法に関する技術である。
【背景技術】
【０００２】
我が国は地震が頻発する国として知られ、近年では、東北地方太平洋沖地震をはじめ、兵庫県南部地震、新潟県中越地震など大きな地震が発生し、そのたびに甚大な被害を被ってきた。例えば、兵庫県南部地震では強い直下型地震による衝撃が原因で多くの家屋が倒壊し、また東日本大震災では津波によって夥しい数の家屋が壊滅的な被害を受けた。
【０００３】
自然災害により大きな被害を受けた場合、家屋を失った者のために仮設住宅が建てられる。通常、この仮設住宅は自治体など公的機関によって建設され、被災者に貸与される。先の平成２８年熊本地震では、熊本県などが４，０００戸あまりの仮設住宅を建設し、１０，０００人を超える被災者がその仮設住宅に入居している。
【０００４】
従来、仮設住宅はいわゆるプレハブ工法によって建設されるのが主流であったが、熊本県では７００戸近くの仮設住宅を本格的な木造家屋として提供した。これは、過去の避難生活が比較的長期に及ぶことに鑑みた配慮であり、プライバシーの確保に加え、冬でも快適に生活でき、しかも堅固な基礎とすることで余震を感じないよう、入居者に過ごしてもらうためである。
【０００５】
このように本格的な家屋を仮設住宅として提供することは歓迎すべきことであるが、その反面、完成までに時間を要するが故に入居まで長い時間待機しなければならないという短所もある。当然ながら家屋を失った者は、その日から入居できる住宅が必要であり、つまり本格的家屋の仮設住宅を提供する場合もその完成までに入居できるいわば暫定的な仮設住宅（以下、「応急仮設住宅」という。）が必要である。したがって、応急仮設住宅はたとえ簡易な構造であっても速やかに建設される必要がある。
【０００６】
このような背景のもと、これまでも応急仮設住宅を速やかに完成する種々の技術が提案されており、例えば特許文献１では、ＣＬＴ（Ｃｒｏｓｓ  Ｌａｍｉｎａｔｅｄ  Ｔｉｍｂｅｒ）の壁板を利用して組み立てる住宅構造を提案している。
【先行技術文献】
【特許文献】
【０００７】
【特許文献１】特開２０１７−０５３１８７
【発明の概要】
【発明が解決しようとする課題】
【０００８】
特許文献１の技術によれば、基本的に１種類のＣＬＴ板（２，０００×１，０００×３６ｍｍ）を床板や、壁板、天井板、野地板として利用することから、組み立てが容易であり、しかも在庫管理や輸送管理のコストを抑えることができるという長所を備えている。しかしながら、この技術を用いて住宅構造を構築するにはＣＬＴ板のほか柱材や通柱、あるいは横桟や妻梁、軒桁といった部材の設置も必要であり、これらの設置手間を考えると完成までに相当の時間を要することとなる。
【０００９】
ところで、特許文献１をはじめとする従来の手法は、専門的な技術を有する者によって建設することが前提とされていた。既述のとおり仮設住宅は公的機関によって提供されるのが一般的であるため、専門技術者によって建設することとしても特段問題となることはなかった。一方で、公的機関に頼ることなく自ら応急仮設住宅を建設したいという被災者もある。自分の土地に建設することで完全なプライバシーを確保できるうえに、なにより他者の影響を受けることなく所望のタイミングで住宅を得ることができるのがその理由である。
【００１０】
本願発明の課題は、従来技術が抱える問題を解消することであり、すなわち専門技術者を必要とすることなく容易に、しかも迅速に建築物を組み立てることができる、箱型パネルセットと、これを用いた建築物の組立方法を提供することである。
【課題を解決するための手段】
【００１１】
本願発明は、箱型のパネルを部材として利用し、隣接する箱型パネルの側面どうしを合わせながら接合することで建築物を組み立てる、という点に着目して開発されたものであり、従来にはない発想に基づいて行われた発明である。
【００１２】
本願発明の箱型パネルセットは、建築物を組み立てることができるものであり、２以上の箱型パネルを備えるものである。この箱型パネルは、ｎ角形（ｎは３以上の自然数）の上面と、同じくｎ角形の下面、ｎ個の側面で構成され、上面と下面が略平行（平行含む）に配置された形状のものである。箱型パネルの側面を他の箱型パネルの側面に重ね合わせて接合していくことで、目的の建築物を組み立てることができる。
【００１３】
本願発明の箱型パネルセットは、一部の側面がテーパ面（上面に対して傾斜した面）で形成された箱型パネルを備えたものとすることもできる。この場合、隣接する箱型パネルはそれぞれ略同形（同形含む）のテーパ面を有しており、隣接する箱型パネルのテーパ面どうしを重ね合わせて接合していくことで、目的の建築物を組み立てることができる。
【００１４】
本願発明の箱型パネルセットは、充填空間（上面と、下面、側面によって形成）に液体が充填された箱型パネルを備えたものとすることもできる。
【００１５】
本願発明の箱型パネルセットは、側面に凸部又凹部（あるいは小孔）が設けられた箱型パネルを備えたものとすることもできる。この場合、接合する際に当接する箱型パネルの側面のうち、一方の側面には凸部が設けられ、他方の側面にはこの凸部が嵌合する凹部（あるいは小孔）が設けられる。そして、凸部と凹部（あるいは小孔）が嵌合することによって、隣接する箱型パネルが接合される。
【００１６】
本願発明の箱型パネルセットは、床用箱型パネルセットと、側壁用箱型パネルセット、屋根用箱型パネルセットを備えたものとすることもできる。この床用箱型パネルセットは、複数の同形（外形が同じ）の箱型パネルからなり床部を形成することができるもので、側壁用箱型パネルセットは、複数の同形（外形が同じ）の箱型パネルからなり側壁部を形成することができるもので、屋根用箱型パネルセットは、複数の同形（外形が同じ）の箱型パネルからなり屋根部を形成することができるものである。これら床用箱型パネルセットと、側壁用箱型パネルセット、屋根用箱型パネルセットを組み立てることで建築物が形成される。なお、屋根用箱型パネルセットを構成する箱型パネルの全ての側面は、テーパ面であるとともに、他のいずれかの箱型パネルのいずれかの側面と略同形（同形含む）である。この場合の本願発明の箱型パネルセットは、開口部が設けられた箱型パネルを含む側壁用箱型パネルセットを備えたものとすることもできる。
【００１７】
本願発明の建築物組立方法は、複数の箱型パネルを接合することで建築物を組み立てる方法であり、側面どうしを重ね合わせて接合していくことで、建築物を組み立てる方法である。
【発明の効果】
【００１８】
本願発明の箱型パネルセット、及び建築物組立方法には、次のような効果がある。
（１）所望の場所に、所望のタイミングで、応急仮設住宅などの建築物を組み立てることができる。
（２）専門技術者を必要とすることなく容易に、しかも極めて迅速に建築物を組み立てることができる。
（３）機密性のある箱型パネルを使用するうえ、隣接する箱型パネルの側面を合わせて接合することから、組み立てられた建築物の内部も高い機密性を確保することができる。
【図面の簡単な説明】
【００１９】
【図１】本願発明によって組み立てられた建築物を示す斜視図。
【図２】本願発明の箱型パネルセットを模式的に示すブロック図。
【図３】（ａ）は上面が四角形の箱型パネルを示す斜視図、（ｂ）は上面が三角形の箱型パネルを示す斜視図。
【図４】（ａ）はテーパ面を有する箱型パネルを示す斜視図、（ｂ）はテーパ面を有する箱型パネルを示す展開図。
【図５】断熱効果のある液体が充填された箱型パネルを示す断面図。
【図６】六角堂の床部を示す平面図。
【図７】六角堂の側壁部を示す平面図。
【図８】（ａ）は開口部として窓を設けた側壁用箱型パネルを示す正面図、（ｂ）は開口部として出入り口を設けた側壁用箱型パネルを示す正面図。
【図９】六角堂を示す断面図。
【図１０】（ａ）は全ての側面が傾斜面である屋根用箱型パネルを示す斜視図、（ｂ）は全ての側面が傾斜面である屋根用箱型パネルを示す展開図。
【図１１】接合面に凸部や凹部を設けた側壁用箱型パネルと屋根用箱型パネルを接合する状況を示すモデル図。
【図１２】（ａ）は一部開放の箱型パネルを横に並べて組み立てられた収容箱の正面図、（ｂ）は一部開放の箱型パネルを上下に並べて組み立てられた収容箱の正面図。
【図１３】（ａ）は６箇所に一部開放の箱型パネルを配置して組み立てた収容箱を示す平面図、（ｂ）は６個の一部開放の箱型パネルを上下に積み上げて組み立てた収容箱を示す正面図。
【発明を実施するための形態】
【００２０】
本願発明の箱型パネルセット、及び建築物組立方法の実施形態の一例を、図に基づいて説明する。本願発明の箱型パネルセット、及び建築物組立方法は、様々な建築物を組み立てるために利用できる発明であり、本願発明を実施することで例えば図１に示す六角堂ＨＢなどの建築物を組み立てることができる。ここでは便宜上、建築物が六角堂ＨＢの場合で説明するが、もちろん本願発明の対象が六角堂ＨＢに限定されるものではなく、本願発明はあらゆる建築物を対象として実施することができる。
【００２１】
図２は、本願発明の箱型パネルセット１００を模式的に示すブロック図である。この図に示すように箱型パネルセット１００は、複数の箱型パネルによって構成されるもので、これらの箱型パネルを組み立てることによって所望の建築物を構築することができる。また、図１に示す六角堂ＨＢのように床部と、側壁部、屋根部に分類できる場合は、箱型パネルセット１００を床用箱型パネルセット１１０と、側壁用箱型パネルセット１２０、屋根用箱型パネルセット１３０で構成することができる。この床用箱型パネルセット１１０は六角堂ＨＢの床部を形成するもので、外形が略同形（同形含む）の複数の箱型パネルを含んで構成される。同様に側壁用箱型パネルセット１２０は六角堂ＨＢの側壁部を形成するものであり、屋根用箱型パネルセット１３０六角堂ＨＢの屋根部を形成するもので、それぞれ外形が略同形（同形含む）の複数の箱型パネルを含んで構成される。
【００２２】
図３は、箱型パネルセット１００を構成する箱型パネル２００を示す図であり、（ａ）は上面が四角形の箱型パネル２００を示す斜視図、（ｂ）は上面が三角形の箱型パネル２００を示す斜視図である。この図に示すように箱型パネル２００は、ｎ角形（ｎは３以上の自然数）の上面２０１と、同じくｎ角形の下面２０２、そしてｎ個の側面２０３で形成される。例えば、図３（ａ）の箱型パネル２００は四角形の上面２０１と下面２０２、４個の側面２０３で形成されており、図３（ｂ）の箱型パネル２００は三角形の上面２０１と下面２０２、３個の側面２０３で形成されている。なお箱型パネル２００は、その上面２０１と下面２０２が略平行（平行含む）に配置された形状となっている。
【００２３】
図３に示す箱型パネル２００は、その側面２０３が上面２０１及び下面２０２に対して略垂直（垂直含む）に配置されているが、これに限らず側面２０３が上面２０１（下面２０２）に対して傾斜したものとすることもできる。なおここでは便宜上、上面２０１（下面２０２）に対して傾斜した側面２０３を特に「テーパ面２０３Ｓ」ということとする。図４（ａ）はテーパ面２０３Ｓを有する箱型パネル２００を示す斜視図であり、図４（ｂ）はその展開図である。この図に示す箱型パネル２００は、図３のものと同様に上面２０１と下面２０２が平行に配置されているが、上面２０１の方が下面２０２よりも面積が小さく、そのため４つの側面２０３ともに上面２０１（下面２０２）に対して傾斜したテーパ面２０３Ｓとなっている。なお箱型パネル２００は、図４のように全ての側面２０３をテーパ面２０３Ｓとすることもできるし、側面２０３の一部のみをテーパ面２０３Ｓとすることもできる。
【００２４】
箱型パネル２００を形成する上面２０１、下面２０２、及び側面２０３は、それぞれ板状の部材であり、木製板や金属製板、あるいはポリプロピレン（ｐｏｌｙｐｒｏｐｙｌｅｎｅ：略称ＰＰ）といった合成樹脂など、種々の材料の板材を利用することができる。上面２０１と下面２０２、側面２０３をポリプロピレン製板とすると、繰り返し折り畳んでも屈折部が劣化することがなく、例えば不使用時（保管時）には図４（ｂ）の状態とし使用時にのみ図４（ａ）の形状として繰り返し使用する（つまり使用のたびに折り畳んで完成させる）こともできるし、図３や図４（ｂ）に示すように完成した状態の箱型パネル２００をさらに折り畳んで変形して使用することもできる。また、これら上面２０１、下面２０２、及び側面２０３は、その表面に防水加工を施してもよく、特に外壁表面となる上面２０１又は下面２０２に防水加工を施すと六角堂ＨＢの室内に水が浸入することなくより好適となる。
【００２５】
さらに、上面２０１、下面２０２、及び側面２０３によって囲まれた空間（以下、「充填空間」という。）内に、断熱性を備えた材料を充填することもできる。このような材料を充填することで箱型パネル２００が断熱性を備えることとなり、すなわち箱型パネル２００を組み立てた六角堂ＨＢも断熱性を備えることとなって好適となる。図５は、充填空間内に断熱効果のある液体（以下、「充填液２０４」という。）が充填された箱型パネル２００を示す断面図である。この図に示すように箱型パネル２００の一部に充填口２０５と排出口２０６を設けると、容易に充填液２０４を充填空間内に注入することができるとともに、不使用時（保管時や運搬時）には容易に充填液２０４を排出することができる。
【００２６】
図６は、図１示す六角堂ＨＢの床部を示す平面図である。この床部は、既述のとおり床用箱型パネルセット１１０によって形成され、すなわち床用箱型パネルセット１１０を構成する箱型パネル２００（以下、特に「床用箱型パネル２１０」という。）を組み立てることで構築される。具体的には図６に示すように、上面２０１と下面２０２が正三角形である６個の床用箱型パネル２１０を所定位置に配置することで、正六角形の床部を形成する。なお、隣接する床用箱型パネル２１０を形成する各面のうち双方が向かい合う側面２０３（以下、「接合面という」。）どうしは略同形（同形含む）であり、この接合面どうしを重ね合わせながら隣接する床用箱型パネル２１０を接合する。
【００２７】
図７は、図１示す六角堂ＨＢの側壁部を上方から見た平面図である。この側壁部は、既述のとおり側壁用箱型パネルセット１２０によって形成され、すなわち側壁用箱型パネルセット１２０を構成する箱型パネル２００（以下、特に「側壁用箱型パネル２２０」という。）を組み立てることで構築される。具体的には図７に示すように、側面２０３がテーパ面２０３Ｓである６個の床用箱型パネル２１０を所定位置に配置することで、環状で中空の正六角形（平面視）の側壁部を形成する。なお、隣接する側壁用箱型パネル２２０の接合面（テーパ面２０３Ｓ）どうしは略同形であり、この接合面どうしを重ね合わせながら隣接する床用箱型パネル２１０を接合する。
【００２８】
また側壁部を形成する一部の側壁用箱型パネル２２０には、図８に示すように開口部を設けることもできる。図８（ａ）は開口部として窓を設けた側壁用箱型パネル２２０を示す正面図であり、図８（ｂ）は開口部として出入り口を設けた側壁用箱型パネル２２０を示す正面図である。
【００２９】
図９は、図１示す六角堂ＨＢを示す断面図である。この六角堂ＨＢの屋根部は、既述のとおり屋根用箱型パネルセット１３０によって形成され、すなわち屋根用箱型パネルセット１３０を構成する箱型パネル２００（以下、特に「屋根用箱型パネル２３０」という。）を組み立てることで構築される。この場合の屋根用箱型パネル２３０は、図１０に示すように上面２０１と下面２０２ともに三角形であって下面２０２よりも上面２０１の方が大きな面積であり、しかも全ての側面２０３がテーパ面２０３Ｓとなる。図１０（ａ）は屋根用箱型パネル２３０を示す斜視図であり、図１０（ｂ）はその展開図である。
【００３０】
図９に示すように六角堂ＨＢの屋根部は、側壁用箱型パネル２２０からなる側壁部の上に屋根用箱型パネル２３０を組み立てることで構築される。このとき、上下に隣接する側壁用箱型パネル２２０と屋根用箱型パネル２３０が向かい合う側面２０３（つまり接合面）どうしは略同形であり、しかも両側面２０３ともにテーパ面２０３Ｓであり、このテーパ面２０３Ｓどうしを重ね合わせながら側壁用箱型パネル２２０と屋根用箱型パネル２３０を接合する。また、屋根用箱型パネル２３０は水平面から傾斜して配置されるため、隣接する屋根用箱型パネル２３０が向かい合う側面２０３（つまり接合面）どうしは略同形であり、しかも両側面２０３ともにテーパ面２０３Ｓであり、このテーパ面２０３Ｓどうしを重ね合わせながら隣接する屋根用箱型パネル２３０を接合する。このように屋根用箱型パネル２３０の３個の側面２０３はテーパ面２０３Ｓであり、隣接するいずれの箱型パネル２００（側壁用箱型パネル２２０及び屋根用箱型パネル２３０）の側面２０３（接合面）とも略同形となる。
【００３１】
ここまで説明したとおり、隣接する箱型パネル２２０の接合面どうしを重ね合わせて接合することによって、所望の建築物を構築することができる。このとき、図９からも分かるように、箱型パネル２２０を適切な幾何形状とし、しかも箱型パネル２２０を適切な配置とすることで、箱型パネル２２０の自重による荷重（特に分力）が支持され（すなわち、荷重の釣り合いが成立し）、特段の連結具を使用することなく隣接する箱型パネル２２０を接合し建築物を構築することができる。もちろん、丁番等の連結具を利用することによって隣接する箱型パネル２２０をさらに堅固に接合してもよい。
【００３２】
あるいは、あらかじめ箱型パネル２２０のうち接合面に凸部や凹部を設けておくこともできる。図１１は、接合面に凸部２０７や凹部２０８を設けた側壁用箱型パネル２２０と屋根用箱型パネル２３０を接合する状況を示すモデル図である。この図に示すように、隣接する一方の箱型パネル２００の接合面（すなわち側面２０３）に凸部２０７を設けるとともに、一方の箱型パネル２００の接合面に凹部２０８（あるいは小孔）を設け、凸部２０７を凹部２０８に嵌合（挿入）することによって隣接する箱型パネル２２０を接合するわけである。これにより、箱型パネル２２０どうしを堅固に接続できるうえに、両者の位置合わせも容易に行うことができる。
【００３３】
ところで、本願発明の箱型パネルセット１００を構成する箱型パネル２２０は、上面２０１又は下面２０２を省略することで、つまり一部に開放面を設けることで収容箱や種々の棚として利用することもできる。なおこの場合も、隣接する箱型パネル２２０の接合面どうしを重ね合わせて接合することで、収容箱や棚は構築される。例えば、図１２（ａ）では、一部が開放した箱型パネル（以下、「開放型箱型パネル３００」という。）を２個使用し、これらを横に並べることで収容箱が組み立てられており、図１２（ｂ）では、２個の開放型箱型パネル３００を上下に並べることで収容箱が組み立てられている。また図１３に示すように、３以上の開放型箱型パネル３００を組み立てることで収容箱や棚を構築することもできる。図１３（ａ）は、６箇所に開放型箱型パネル３００を配置して組み立てた収容箱を示す平面図であり、図１３（ｂ）は、６個の開放型箱型パネル３００を上下に積み上げて組み立てた収容箱を示す正面図である。この図に示すように、平面的にも上下にも多数の開放型箱型パネル３００を利用して組み立てることで、所望の収容スペースを得ることができる。
【産業上の利用可能性】
【００３４】
本願発明の箱型パネルセット、及び建築物組立方法は、災害時に建設する仮設住宅のほか、臨時に設置する休憩施設や宿泊施設、観光地や行楽地に設けられる売店や喫煙室など、様々な施設として利用することができる。本願発明が、自然災害で住居を失った被災者に対して好適な解決策を提供することを考えれば、産業上利用できるばかりでなく社会的にも大きな貢献を期待し得る発明である。
【符号の説明】
【００３５】
１００    本願発明の箱型パネルセット
１１０    床用箱型パネルセット
１２０    側壁用箱型パネルセット
１３０    屋根用箱型パネルセット
２００    （箱型パネルセットの）箱型パネル
２０１    （箱型パネルの）上面
２０２    （箱型パネルの）下面
２０３    （箱型パネルの）側面
２０３Ｓ  （側面のうちの）テーパ面
２０４    （箱型パネルの）充填液
２０５    （箱型パネルの）充填口
２０６    （箱型パネルの）排出口
２０７    （箱型パネルの）凸部
２０８    （箱型パネルの）凹部
２１０    （床用箱型パネルセットの）床用箱型パネル
２２０    （側壁用箱型パネルセットの）側壁用箱型パネル
２３０    （屋根用箱型パネルセットの）屋根用箱型パネル
３００    開放型箱型パネル
ＨＢ      六角堂
【図１】
2018178637.tif 000003
【図２】
2018178637.tif 000004
【図３】
2018178637.tif 000005
【図４】
2018178637.tif 000006
【図５】
2018178637.tif 000007
【図６】
2018178637.tif 000008
【図７】
2018178637.tif 000009
【図８】
2018178637.tif 000010
【図９】
2018178637.tif 000011
【図１０】
2018178637.tif 000012
【図１１】
2018178637.tif 000013
【図１２】
2018178637.tif 000014
【図１３】
2018178637.tif 000015
【手続補正書】
【提出日】平成29年10月14日(2017.10.14)
【手続補正１】
【補正対象書類名】特許請求の範囲
【補正対象項目名】全文
【補正方法】変更
【補正の内容】
【特許請求の範囲】
【請求項１】
建築物を組み立て得る箱型パネルセットであって、
２以上の箱型パネルを備え、
前記箱型パネルは、ｎ角形（ｎは３以上の自然数）の上面と、ｎ角形の下面と、ｎ個の側面のみで構成されるとともに、該上面と該下面が平行又は略平行に配置された形状であって、該上面と該下面と該側面に囲まれた空間を有し、
前記上面と前記下面と前記側面は、板状部材であり、
前記箱型パネルの前記側面を、他の前記箱型パネルの前記側面に、重ね合わせて接合することによって前記建築物を組み立て得る、
ことを特徴とする箱型パネルセット。
【請求項２】
複数の同形の前記箱型パネルからなり、床部を形成することができる床用箱型パネルセットと、
複数の同形の前記箱型パネルからなり、側壁部を形成することができる側壁用箱型パネルセットと、
複数の同形の前記箱型パネルからなり、屋根部を形成することができる屋根用箱型パネルセットと、を備え、
前記床用箱型パネルセット、前記側壁用箱型パネルセット、及び前記屋根用箱型パネルセットを組み立てることで、建築物が形成され、
前記屋根用箱型パネルセットを構成する前記箱型パネルの全ての前記側面は、前記側面が前記上面に対して傾斜したテーパ面であるとともに、他のいずれかの前記箱型パネルのいずれかの前記側面と同形又は略同形である、
ことを特徴とする請求項１記載の箱型パネルセット。
【請求項３】
上下に隣接する前記側壁用箱型パネルセットの前記箱型パネルと前記屋根用箱型パネルセットの前記箱型パネルが向かい合う前記側面は、それぞれ同形又は略同形であって、前記上面に対して傾斜したテーパ面であり、
上下に隣接する前記側壁用箱型パネルセットの前記箱型パネルと前記屋根用箱型パネルセットの前記箱型パネルの前記テーパ面どうしを、重ね合わせて接合することによって前記建築物を組み立て得る、
ことを特徴とする請求項２記載の箱型パネルセット。
【請求項４】
前記側壁用箱型パネルセットを構成する前記箱型パネルのうちいずれかの前記箱型パネルに、開口部が設けられた、
ことを特徴とする請求項２又は請求項３記載の箱型パネルセット。
【請求項５】
前記箱型パネルは、前記上面、前記下面、及び前記側面によって形成された前記空間に、液体が充填された、
ことを特徴とする項１乃至請求項４のいずれかに記載の箱型パネルセット。
【請求項６】
接合する際に当接する前記側面のうち、一方の側面には凸部が設けられ、他方の側面には該凸部が嵌合する凹部又は小孔が設けられ、
前記凸部と前記凹部又は前記小孔が嵌合することによって、隣接する前記箱型パネルが接合される、
ことを特徴とする請求項１乃至請求項５のいずれかに記載の箱型パネルセット。
【請求項７】
複数の同形の箱型パネルからなる床用箱型パネルセットと、複数の同形の箱型パネルからなる側壁用箱型パネルセットと、複数の同形の箱型パネルからなる屋根用箱型パネルセットと、を有する箱型パネルセットを用いて建築物を組み立てる方法であって、
前記箱型パネルは、ｎ角形（ｎは３以上の自然数）の板状部材である上面と、ｎ角形の板状部材である下面と、ｎ個の板状部材である側面のみで構成されるとともに、該上面と該下面が平行又は略平行に配置された形状であって、該上面と該下面と該側面に囲まれた空間を有し、
上下に隣接する前記側壁用箱型パネルセットの前記箱型パネルと前記屋根用箱型パネルセットの前記箱型パネルが向かい合う前記側面は、それぞれ同形又は略同形であって、前記上面に対して傾斜したテーパ面であり、
前記床用箱型パネルセットの前記箱型パネルを組み立てることで床部を形成する床部形成工程と、
前記側壁用箱型パネルセットの前記箱型パネルを組み立てることで側壁部を形成する側壁部形成工程と、
前記屋根用箱型パネルセットの前記箱型パネルを組み立てることで屋根部を形成する屋根部形成工程と、を備え、
前記屋根部形成工程では、上下に隣接する前記側壁用箱型パネルセットの前記箱型パネルと前記屋根用箱型パネルセットの前記箱型パネルの前記テーパ面どうしを、重ね合わせて接合する、
ことを特徴とする建築物組立方法。
【手続補正書】
【提出日】平成29年12月12日(2017.12.12)
【手続補正１】
【補正対象書類名】特許請求の範囲
【補正対象項目名】全文
【補正方法】変更
【補正の内容】
【特許請求の範囲】
【請求項１】
２以上の箱型パネルを有し、建築物を組み立て得る箱型パネルセットであって、
前記箱型パネルは、板状部材であるｎ角形（ｎは３以上の自然数）の上面と、板状部材であるｎ角形の下面と、ｎ個の板状部材である側面のみで構成されるとともに、該上面と該下面が平行又は略平行に配置された形状であって、該上面と該下面と該側面に囲まれた空間を有し、
複数の同形の前記箱型パネルからなり、床部を形成することができる床用箱型パネルセットと、
複数の同形の前記箱型パネルからなり、側壁部を形成することができる側壁用箱型パネルセットと、
複数の同形の前記箱型パネルからなり、屋根部を形成することができる屋根用箱型パネルセットと、を備え、
前記屋根用箱型パネルセットを構成する前記箱型パネルの全ての前記側面は、前記側面が前記上面に対して傾斜したテーパ面であるとともに、他のいずれかの前記箱型パネルのいずれかの前記側面と同形又は略同形であり、
前記箱型パネルの前記側面を他の前記箱型パネルの前記側面に重ね合わせて接合して、前記床用箱型パネルセット、前記側壁用箱型パネルセット、及び前記屋根用箱型パネルセットを組み立てることで建築物が形成される、
ことを特徴とする箱型パネルセット。
【請求項２】
上下に隣接する前記側壁用箱型パネルセットの前記箱型パネルと前記屋根用箱型パネルセットの前記箱型パネルが向かい合う前記側面は、それぞれ同形又は略同形であって、前記上面に対して傾斜したテーパ面であり、
上下に隣接する前記側壁用箱型パネルセットの前記箱型パネルと前記屋根用箱型パネルセットの前記箱型パネルの前記テーパ面どうしを、重ね合わせて接合することによって前記建築物を組み立て得る、
ことを特徴とする請求項１記載の箱型パネルセット。
【請求項３】
前記側壁用箱型パネルセットを構成する前記箱型パネルのうちいずれかの前記箱型パネルに、開口部が設けられた、
ことを特徴とする請求項１又は請求項２記載の箱型パネルセット。
【請求項４】
前記箱型パネルは、前記上面、前記下面、及び前記側面によって形成された前記空間に、液体が充填された、
ことを特徴とする項１乃至請求項３のいずれかに記載の箱型パネルセット。
【請求項５】
接合する際に当接する前記側面のうち、一方の側面には凸部が設けられ、他方の側面には該凸部が嵌合する凹部又は小孔が設けられ、
前記凸部と前記凹部又は前記小孔が嵌合することによって、隣接する前記箱型パネルが接合される、
ことを特徴とする請求項１乃至請求項４のいずれかに記載の箱型パネルセット。
【請求項６】
複数の同形の箱型パネルからなる床用箱型パネルセットと、複数の同形の箱型パネルからなる側壁用箱型パネルセットと、複数の同形の箱型パネルからなる屋根用箱型パネルセットと、を有する箱型パネルセットを用いて建築物を組み立てる方法であって、
前記箱型パネルは、ｎ角形（ｎは３以上の自然数）の板状部材である上面と、ｎ角形の板状部材である下面と、ｎ個の板状部材である側面のみで構成されるとともに、該上面と該下面が平行又は略平行に配置された形状であって、該上面と該下面と該側面に囲まれた空間を有し、
上下に隣接する前記側壁用箱型パネルセットの前記箱型パネルと前記屋根用箱型パネルセットの前記箱型パネルが向かい合う前記側面は、それぞれ同形又は略同形であって、前記上面に対して傾斜したテーパ面であり、
前記床用箱型パネルセットの前記箱型パネルを組み立てることで床部を形成する床部形成工程と、
前記側壁用箱型パネルセットの前記箱型パネルを組み立てることで側壁部を形成する側壁部形成工程と、
前記屋根用箱型パネルセットの前記箱型パネルを組み立てることで屋根部を形成する屋根部形成工程と、を備え、
前記屋根部形成工程では、上下に隣接する前記側壁用箱型パネルセットの前記箱型パネルと前記屋根用箱型パネルセットの前記箱型パネルの前記テーパ面どうしを、重ね合わせて接合する、
ことを特徴とする建築物組立方法。